(57)【特許請求の範囲】
【請求項１】
シャッタ開口を２枚の羽根で協働して覆うことにより、小絞り状態とする絞り装置において、
前記シャッタ開口の一方側の外周に前記２枚の羽根を配置する全開位置と前記２枚の羽根を同一方向に移動させて前記シャッタ開口を覆う小絞り位置とに作動する絞り作動部材を備え、
前記２枚の羽根の外周部は、前記シャッタ開口の円弧より大径の円弧形状を有して前記シャッタ開口を協働して覆う、ことを特徴とする絞り装置。
【請求項２】
請求項１において、前記２枚の羽根は、同一の軸により回転自在に軸支されていることを特徴とする絞り装置。
【発明の詳細な説明】
【技術分野】
【０００１】
本発明は、シャッタの絞り開口径を段階的に切り換える絞り装置に関する。
【背景技術】
【０００２】
従来、このような絞り装置として、たとえば本出願人による実開平５−７９５４１号公報に記載されたものがある。この従来の絞り装置について図８を参照して説明をする。
【０００３】
図８において、永久磁石により形成されたロータ１０、ロータ作動レバー１１、絞り作動部材１２及び小絞り板７３が、図示されない地板にロータ軸１０ａ、軸１２ａ及び軸４を介して回動自在に支持されている。小絞り板７３はシャッタ開口２を覆う大きさであり、小径の絞り開口７３ａを有し、シャッタ開口２を覆う第１の位置Ａと、開口２から退避する第２の位置Ｂの間を移動自在に軸４により支持されている。また、小絞り板７３は、ばね７３ｃにより時計回り方向に付勢され、位置決めピン５に当接して停止している。また絞り作動部材１２にはばね１３が掛け止めてあり、係合ピン１４に当接して停止している。
【０００４】
コイルＬに通電してステータ９が励磁されると、ロータ１０が反時計回りに回動し、ロータ軸１０ａに固着してあるロータ作動レバー１１も反時計回りに回動する。この回動はロータ作動レバーピン１１ａを介して絞り作動部材１２を時計方向に回動させ、絞り作動部材１２の突出部１２ｂを介して小絞り板７３は軸４の回りに反時計回りに回動され、第２の位置Ｂから第１の位置Ａへ移動し、位置決めピン１５に当接して停止する。従って、シャッタ開口２は絞り開口７３ａで規制される。この時、小絞り板７３に固定されたピン７３ｂが可動鉄片１８を鉄心１７ａの吸着面に沿って移動させ、小絞り板７３が第１の位置Ａに達したところで電磁石１７ｂが励磁され、可動鉄片１８を吸着保持して、小径の絞り開口７３ａが維持される。
【特許文献１】実開平５−７９５４１号公報
【発明の開示】
【発明が解決しようとする課題】
【０００５】
この従来の絞り装置にあっては、小絞り板７３は１枚で構成されており、１枚でシャッタ開口２を覆う大きさであり、第１の位置Ａを占める大きさのままで第２の位置Ｂへ移動するので、第２の位置Ｂではシャッタ開口２を覆わないように十分に退避しなければならず、そのために小絞り板７３の十分な退避スペースが必要であり、シャッタ開口２の周辺が大型化するという問題点がある。
【課題を解決するための手段】
【０００６】
上記課題を解決するために、本発明の絞り装置は、シャッタ開口の一方側の外周に２枚の羽根を配置する全開位置と２枚の羽根を同一方向に移動させてシャッタ開口を覆う小絞り位置とに作動する絞り作動部材を備え、前記２枚の羽根の外周部は前記シャッタ開口の円弧より大径の円弧形状を有して前記シャッタ開口を協働して覆っている。このため、従来の絞り装置と違い２枚の羽根に分割しているため、小絞り板を従来より小面積とすることができ絞り装置の小型化が可能となる。また、２枚の羽根は、同一の軸により回転自在に軸支させてもよい。
【発明の効果】
【０００７】
小絞り板を従来よりも小型にでき、小絞り板がシャッタ開口から退避するシャッタ開口の周辺のスペースを狭くすることが可能であり、装置の小型化を達成することができる。また部品の形状や配置などの自由度が向上する。
【発明を実施するための最良の形態】
【０００８】
本発明の絞り装置は、シャッタ開口を２枚の羽根で協働して覆うことにより、小絞り状態とする絞り装置であって、シャッタ開口の一方側の外周に２枚の羽根を配置する全開位置と２枚の羽根を同一方向に移動させてシャッタ開口を覆う小絞り位置とに作動する絞り作動部材を備えることを特徴としている。２枚の羽根を協働させてシャッタ開口を覆うので、小絞り板を小さくすることが可能になり、シャッタの周辺を小型化することが可能になる。
【０００９】
本発明の実施例について図面を参照して説明する。説明に際して図８で説明した従来の構成と同一の個所には同一の符号を付している。
【００１０】
図１において、ステータ９とロータ１０とコイルＬとはスイングモータＭを構成しており、ステータ９には磁極部９ａ、９ｂが設けられコイルＬへの通電により、Ｎ極、Ｓ極が各々に発生する。これによりロータ１０は正逆両方向に回転することができる。
【００１１】
このスイングモータＭの回転により駆動されてシャッタ開口２を開閉するセクタ２３、２４は、図２に示すようにシャッタ開口２に対して対称に配置されており、セクタ２４は図示されない地板に突設した軸２５の回りに回動可能に支持されている。セクタ２３は地板に突設した軸２２の回りに回動可能に支持されており、このセクタ２３の上面にセクタ開閉レバー２０が軸２２の回りに回動可能に支持されている。セクタ開閉レバー２０の腕部２０ｂは地板に設けられた係合ピン２１と係合し、セクタ開閉レバー２０のセクタ開閉レバーピン２０ａはセクタ２３と軸着しており、且つセクタ２４の溝部２４ａと係合してセクタ２３、２４を駆動するようになっている。セクタ開閉レバー２０はばね２０ｄにより常時は時計回り方向に付勢されている。
【００１２】
図１に示すロータ１０のロータ軸１０ａにはロータ作動レバー１１が圧入固定されており、このロータ作動レバー１１はロータ１０と一体的に回動する。ロータ作動レバー１１に備えられたロータ作動レバーピン１１ａは、地板に突設した軸１２ａの回りに回動可能に支持された絞り作動部材１２と係合している。絞り作動部材１２は、後述する小絞り板３と突出部１２ｂを介して回動可能に当接させてあり、ばね１３により常時は反時計回り方向に付勢されている。
【００１３】
なお、ロータ作動レバー１１が時計回り方向に回動した場合に、絞り作動部材１２が反時計回り方向に回動しないように係合ピン１４が地板に設けられる。
【００１４】
更に図２に示すロータ作動レバー１１に備えられたロータ作動レバーピン１１ｂはセクタ開閉レバー２０と当接することができ、ロータ作動レバー１１が時計回り方向に回動することにより、セクタ開閉レバー２０を反時計回り方向に回動させセクタ開閉レバー２０がセクタ２３、２４を動作させることができる。
【００１５】
図１に示す小絞り板３は迅速に正確な絞り口径を規制して撮影できるようシャッタ開口２よりも小径の絞り開口３ａを有しており、地板に突設した軸４の回りに回動可能に支持されている。小絞り板３の形状は、シャッタ開口２から遠い外周形状はシャッタ開口２の円弧よりやや大径の円弧状になっているが、シャッタ開口２に近い外周形状はシャッタ開口２の円弧に沿った凹円弧状部３ｄになっている。小絞り板３に立設されたピン３ｂは可動鉄片１８と係合している。小絞り板３はばね３ｃにより常時は時計回り方向に付勢されており、地板に突設した位置決めピン５に当接しその位置を保つ。
【００１６】
可動鉄片１８は電磁石装置１７のコイル１７ｂへの入力信号のＯＮ、ＯＦＦにより鉄芯１７ａに吸着したり開放されたりし、可動鉄片１８が鉄芯１７ａに吸着されず開放されているときは、絞り開口３ａがシャッタ開口２内にくる第１の位置Ａに小絞り板３が移動可能となり、この位置で可動鉄片１８が鉄芯１７ａに吸着されることにより、小絞り板３はシャッタ開口２内から退避不能に保持される。可動鉄片１８が鉄芯１７ａによる吸着から開放されたときには、ばね３ｃにより位置決めピン５に当接する第２の位置Ｂに移動が可能である。
【００１７】
小絞り板３は、シャッタ開口２を覆う第１の位置Ａでは、凹円弧状部３ｄのためにシャッタ開口２の全面を覆うことができないので、この部分を覆うための補助板２８を設けている。
【００１８】
この補助板２８は、軸１２ａの回りに回動自在に支持されている。補助板２８の形状は、小絞り板３の凹円弧状部３ｄにわずかに重なった状態でシャッタ開口２を十分に覆うことが可能な形状であり、シャッタ開口２を間にして小絞り板３と反対側に位置している。補助板２８はばね２８ａにより軸１２ａの回りに反時計方向に付勢されている。そして、絞り作動部材１２が突出部１２ｂにより受け部３ｆを介して小絞り板３を第１の位置Ａへ移動させる際に、小絞り板３のピン３ｅが補助板２８の突出部２８ｂを押すことにより、補助板２８を小絞り板３の回動に追従させ、実線にて図示した第２の位置Ｂから２点鎖線で図示した第１の位置Ａへ移動した時には、小絞り板３と補助板２８とが協働してシャッタ開口２の全面を覆うことができる。
【００１９】
このような絞り装置の作用について次に説明する。図１、図２はシャッタ作動前の状態であり、この状態において電磁石装置１７はＯＦＦされているが、小絞り板３はばね３ｃによる時計回り方向の付勢作用による回動を位置決めピン５により規制されているので第２の位置Ｂを保つ。
【００２０】
ここで被写体が明るい場合のように図３で示すプログラム選択手段１によりシャッタ開口２よりも絞り込んだ小径の絞り開口３ａまでしか使用しない第１のプログラム（図４に破線で示す）が選択されている場合について説明する。
【００２１】
まず図３に示すカメラのレリーズボタン６が押圧操作されると制御回路７によりモータ駆動部８を介して図１に示すコイルＬに通電する。コイルＬへの通電により、まずステータ９の磁極部９ａにＳ極、磁極部９ｂにＮ極が発生し、ロータ１０が反時計回り方向に回動する。この回動によりロータ１０のロータ軸１０ａに圧入固定されたロータ作動レバー１１も反時計回り方向に回動するので、ロータ作動レバー１１のロータ作動レバーピン１１ａと係合している絞り作動部材１２を介して小絞り板３も反時計回り方向に回動し、図１の二点鎖線で示す位置Ａまで移動し位置決めピン１５に当接する。また、小絞り板３のピン３ｅが補助板２８の突出部２８ｂを押して、補助板２８を、図１の２点鎖線で示す位置Ａへ移動させ、小絞り板３と補助板２８との協働によってシャッタ開口２は小口径状態になる。この状態で電磁石装置１７がＯＦＦからＯＮに変り、鉄芯１７ａが可動鉄片１８を吸着し固定して、小絞り板３及び補助板２８を第１の位置Ａの状態で保持する。
【００２２】
次にコイルＬに正方向通電が行われ、ロータ１０、ロータ作動レバー１１は時計回り方向に回動し始める。しかし小絞り板３と補助板２８はピン３ｂが可動鉄片１８と係合している為、第１の位置Ａの状態を保持する。
【００２３】
ロータ１０が時計回り方向の回転を続けると、図２に示すように今まで静止していたセクタ開閉レバー２０にロータ作動レバー１１に備えてあるロータ作動レバーピン１１ｂが時計回り方向に回動することにより当接し始め、セクタ開閉レバー２０を反時計回り方向に回動させる。それに伴いセクタ開閉レバー２０に備えてあるセクタ開閉レバーピン２０ａを介して２枚のセクタ２３、２４が互に反対方向に回動して露出が開始される。
【００２４】
セクタ２３、２４は図３に示す測光部２６からの被写体の輝度情報、絞り情報、フィルム感度のＩＳＯ情報２７等により、制御回路７において決定された露出時間だけ作動し、その後、コイルＬに逆方向通電が行われ、ロータ作動レバー２０が反時計回り方向へ逆転し、図２の状態に戻る。
【００２５】
その後、電磁石装置１７がＯＮからＯＦＦに変る。この為、可動鉄片１８が解放され小絞り板３及び補助板２８はばね３ｃのばね力により第１の位置Ａから第２の位置Ｂに戻り作動を終了する。
【００２６】
以上の動作についてセクタ２３、２４、電磁石装置１７、小絞り板３、コイルＬの別にタイムチャートとして表すと図５（ａ）に示すようになる。
【００２７】
次に被写体が暗い場合のように、図３に示すプログラム選択手段１によりシャッタ開口２の全開径まで使用する第２のプログラム（図４に実線で示す）が、選択される場合について説明する。
【００２８】
図３に示すカメラのレリーズボタン６が押圧操作されると、制御回路７によりモータ駆動部８を介して図１に示すコイルＬに通電する。この通電によりステータ９の磁極部９ａにＮ極、磁極部９ｂにＳ極が発生し、ロータ１０が時計回り方向に回動する。これにより、ロータ作動レバーピン１１ａと絞り作動部材１２とは当接せず、絞り作動部材１２が係合ピン１４に当接したままになるので、ばね１３のばね力により小絞り板３は第２の位置Ｂで待機状態を保つ。又、電磁石装置１７はＯＦＦの状態のままである。
【００２９】
セクタ２３、２４は上記輝度情報等により決定された露出位置まで回動し、その後コイルＬに逆方向通電が行われロータ１０が逆転（反時計回り方向の回転）し図２の状態に戻る。
【００３０】
以上の動作についてセクタ２３、２４、電磁石装置１７、小絞り板３、コイルＬの別にタイムチャートとして表すと図５（ｂ）に示すようになる。
【００３１】
なお、これまでの説明では、補助板２８を小絞り板３に対してシャッタ開口２の反対側に位置させているので、小絞り板３に対して反対側から補助板２８がシャッタ開口２を覆う第１の位置Ａに移動する構成であるが、本願発明は、同一方向から移動する構成としたものである。この例について図６及び図７に基づいて次に説明する。
【００３２】
先ず図６の例では、シャッタ開口２の一方の側（右側）の外周に、小径の絞り開口３３ａを有する小絞り板３３と補助板３８とが、共に同一の軸３４により回動自在に軸支されており、小絞り板３３はばね３ｃにより時計方向に付勢されている。絞り作動部材１２の突出部１２ｂは、先ず補助板３８の受け部３８ｆに接してこれを押し、次いで小絞り板３３の受け部３３ｆに接し、以後は両者を同時に押して２点鎖線に図示する第１の位置Ａに移動させる。その他の図１と同一の構成の部分には同一の符号を付しており、作動についても同様である。
【００３３】
図７の例では、シャッタ開口２の一方の側（右側）の外周に、小径の絞り開口４３ａを有する小絞り板４３と補助板４８とが、共に同一の軸４４により回動自在に軸支されており、小絞り板４３はばね３ｃにより時計方向に付勢されている。小絞り板４３の形状は、シャッタ開口２に近い外周部がシャッタ開口２の円弧よりやや大径の円弧状をしており、シャッタ開口２より遠い外周部が切欠された外周部４３ｄとなっている。補助板４８はほぼ弓形の形状をしており、外周部４３ｄと協働してシャッタ開口２を覆う形状である。従って、絞り作動部材１２の突出部１２ｂは先ず小絞り板４３の受け部４３ｆに接してこれを押し、僅かに遅れて補助板４８の受け部４８ｆに接し、以後は両者を同時に押して２点鎖線に図示する第１の位置Ａに移動させる。その他の図１と同一の構成の部分には同一の符号を付しており、作動についても同様である。
【００３４】
なお、前記実施例は、絞り作動部材をモータにより作動するものであるが、これに限定されるものではなく手動的に操作されるものでも良い。また、本発明の絞り装置はフィルム又は電荷結合素子を使用する写真カメラのほか、ビデオカメラ等にも使用可能である。
【図面の簡単な説明】
【００３５】
【図１】絞り装置を適用したシャッタ作動前の初期状態を示す正面図である。
【図２】同上のシャッタ作動前の初期状態でのセクタ及びその関連部材の正面図である。
【図３】図１、図２に示す絞り装置の制御ブロック図である。
【図４】第１のプログラムと第２のプログラムを示すＥｖ値線図である。
【図５】（ａ）は第１のプログラムを選択した場合の各部材の動作を示すタイムチャート、（ｂ）は第２のプログラムを選択した場合の各部材の動作を示すタイムチャートである。
【図６】本発明の実施の一形態を示す絞り装置を適用したシャッタ作動前の初期状態を示す正面図である。
【図７】実施の他の形態を示す絞り装置を適用したシャッタ作動前の初期状態を示す正面図である。
【図８】従来の装置におけるシャッタ作動前の初期状態を示す正面図である。
【符号の説明】
【００３６】
２                    シャッタ開口
３、３３，４３        小絞り板
３ａ、３３ａ、４３ａ  絞り開口
１２                  絞り作動部材
２８、３８、４８      補助板
Ａ                    第１の位置
Ｂ                    第２の位置
【図１】
0004572207.tif 000002
【図２】
0004572207.tif 000003
【図３】
0004572207.tif 000004
【図４】
0004572207.tif 000005
【図５】
0004572207.tif 000006
【図６】
0004572207.tif 000007
【図７】
0004572207.tif 000008
【図８】
0004572207.tif 000009